(57)【要約】      （修正有）【課題】成型時に初期変形として生じたディスクトレイの反り変形の抑制をはかったディスク駆動装置を提供する。【解決手段】トレイ本体部４ａをトレイ導出・導入用開口部から眺めた奥行方向に摺動自在に支持するガイド機構に加えて、トレイ本体部４ａからディスクはみ出し側の幅方向に突出する翼部４ｂの高さ方向に係る下面に、ガイド機構の上端部分に摺接可能な突起部２１を立設した。成型時の初期変形によって翼部４ｂが反り変形していても、ディスクトレイ４を装置筺体の内部空間に導入した状態では、突起部２１がガイド機構の上端部分に当接することにより、翼部４ｂは初期変形の反り方向とは逆向きに撓ませられるように押圧され、ディスクトレイ４の初期変形が抑制され、トレイ本体部４ａの前面及び翼部４ｂの前面に取り付けられるフロントベゼルの傾きを抑えた。【選択図】図３
2013012274.tif 000002
【特許請求の範囲】
【請求項１】
開口部を有する筺体と、
ディスクがはみ出して搭載されるトレイ本体部、及び該トレイ本体部のディスクはみ出し側に突出された翼部が一体成型されたディスクトレイと、
該ディスクトレイを前記開口部を介して前記筺体内部に対し導出又は導入させるべく、前記トレイ本体部を摺動自在に支持するガイド機構と、
前記トレイ本体部及び前記翼部に係止されて前記ディスクトレイに取り付けられ、前記ディスクトレイの前記筺体内部に対する導入状態で前記開口部を隠蔽するベゼルと
を備えた光ディスク駆動装置であって、
前記ディスクトレイの前記翼部には、前記ディスクトレイの前記筺体内部に対する導入状態で、前記ガイド機構の上端部分、若しくは前記筺体内部の前記翼部と対向する底面部と当接して、前記翼部の初期変形を抑制する突起部を形成した
ことを特徴とする光ディスク駆動装置。
【請求項２】
開口部を有する筺体と、
ディスクがはみ出して搭載されるトレイ本体部、及び該トレイ本体部のディスクはみ出し側に突出された翼部が一体成型されたディスクトレイと、
該ディスクトレイを前記開口部を介して前記筺体内部に対し導出又は導入させるべく、前記トレイ本体部を摺動自在に支持するガイド機構と、
前記トレイ本体部及び前記翼部に係止されて前記ディスクトレイに取り付けられ、前記ディスクトレイの前記筺体内部に対する導入状態で前記開口部を隠蔽するベゼルと
を備えた光ディスク駆動装置であって、
前記ディスクトレイの前記筺体内部に対する導入状態で、前記ディスクトレイの前記翼部と対向する前記ガイド機構の上端部分、若しくは前記筺体内部の底面部には、前記翼部と当接して、前記翼部の初期変形を抑制する突起部を形成した
ことを特徴とする光ディスク駆動装置。
【発明の詳細な説明】
【技術分野】
【０００１】
本発明は、情報の記録再生を行う光ディスク駆動装置に係り、特に装置筺体内から導出されたトレイに光ディスクを搭載してトレイごと装置筺体内に導入するトレイ方式の光ディスク駆動装置に関する。
【背景技術】
【０００２】
この種の光ディスク駆動装置の従来技術として、特開２００２−２６９９６１号公報（特許文献１）や特開２００６−２４３０４号公報（特許文献２）に記載された光ディスク駆動装置がある。
【０００３】
特許文献１に記載の光ディスク駆動装置は、装置筺体のトレイ導出・導入用開口部を隠蔽するベゼルを、ディスクトレイに対して着脱可能に容易に固定することを目的としたものである。特許文献１には、ベゼルに形成したフック片とトレイに形成したフック受部との係合によってトレイにベゼルを係止し、さらにベゼルに形成したロック片とトレイに形成したロック受部との係合によってベゼルをトレイにロック状態に保持する光ディスク駆動装置の構成が記載されている。
【０００４】
また、特許文献２に記載の光ディスク駆動装置は、外部荷重が加わった際に発生するトレイとトレイカバーの嵌合ずれやディスク装着方向の衝撃等によるトレイとトレイカバーの変形を防止し、トレイが筺体内に収納困難となることを抑制することを目的としたものである。特許文献２には、少なくとも、装置筺体と、装置筺体に収納又は引出自在（導入・導出自在）に設けられたトレイと、トレイに設けられたトレイカバーとを備え、トレイとトレイカバーが接触する部分の少なくとも一部に接触固定部を設けた光ディスク駆動装置の構成が記載されている。
【先行技術文献】
【特許文献】
【０００５】
【特許文献１】特開２００２−２６９９６１号公報
【特許文献２】特開２００６−２４３０４号公報
【発明の概要】
【発明が解決しようとする課題】
【０００６】
ところで、上述したトレイ方式の光ディスク駆動装置では、装置自体に搭載される電子機器や部品の薄型小型化，軽量化と相俟って、装置全体の薄型小型化，軽量化がはかられている。これに伴い、光ディスクを搭載して装置筺体内部に搬送するディスクトレイも、軽量化，低コスト化のため、樹脂成型品によって構成されるのが一般的である。
【０００７】
例えば、ディスクトレイの形状は、軽量化，低コスト化のため、光ディスクの一部がトレイからはみ出るようにディスク外径よりもディスクトレイの横幅寸法が小さな、薄肉構造の樹脂成型品として形成されている（特許文献１の図３、特許文献２の図１参照）。また、その表面形状も、光ディスクに情報を記録再生する光ピックアップや、光ディスクを回転させるスピンドルモータ等を搭載したユニットメカを取り付けるため、開口部や凹凸部に対応した局所的な薄肉部及び厚肉部が形成される等、複雑である。
【０００８】
そのため、このような薄肉構造の樹脂成型品として形成され、表面形状も複雑なディスクトレイにあっては、その射出成型時に、例えば、各部の肉厚の差に基づいた各部の冷却・固化速度の違いや成形収縮率の違い等によって、初期変形として大きな反り変形が生じ易かった。
【０００９】
そして、ディスクトレイに初期変形として反り変形が生じている場合は、ディスクトレイに係止手段により取り付けられるベゼルも、このディスクトレイの初期変形の影響によってトレイ側の係合位置が変化してしまうので、ディスクトレイに対する取付状態が傾いてしまい、トレイ導出・導入用開口部と的確に合致できなくなり、装置筺体内部に対してのディスクトレイの円滑な導出・導入に支障を来たす等といった問題点があった。
【００１０】
また、ディスクトレイを装置筺体内部へ導入した状態にあっても、ディスクトレイの上述した初期変形としての反り変形が装置筺体内部で抑制されていないと、例えば、作動時における振動，騒音といった装置性能にも影響をもたらす虞もあった。
【００１１】
本発明は上述した問題点を鑑みなされたものであって、ディスクトレイに取り付けられたベゼルの傾きを抑え、成型時に初期変形として生じたディスクトレイの反り変形の抑制をはかった光ディスク駆動装置を提供することを目的とする。
【課題を解決するための手段】
【００１２】
本発明は上述した課題を解決するために、ディスクがはみ出し搭載されるトレイ本体部と、トレイ本体部のディスクはみ出し側に突出された翼部とが一体成型されたディスクトレイを、開口部を介して筺体内部に対して導出及び導入自在に構成するともに、ディスクトレイが導入状態の開口部をディスクトレイに取り付けたベゼルによって隠蔽する構成の光ディスク駆動装置であって、筺体内部に対して開口部を介してディスクトレイを導出又は導入させるべく、トレイ本体部を摺動自在に支持するガイド機構に加えて、ディスクトレイがガイド機構を介して筺体内部に導入されたときに、ディスクトレイの翼部を筺体内部で支持する支持構造を設け、ディスクトレイの初期変形、特に翼部の反り変形の抑制をはかったことを特徴とする。これにより、ディスクトレイの筺体内部に対する導入状態で、ディスクトレイの翼部は、その支持構造からの初期変形としての反り変形を抑制するような押圧力を受けることができる。
【発明の効果】
【００１３】
本発明によれば、ベゼルの取付側であるディスクトレイの翼部に係り、ディスクトレイを開口部を介して筺体内部に導入した導入状態で、ディスクトレイの翼部は支持構造から押圧力を受けて、その初期変形としての反り変形を抑制することができる。これにより、ディスクトレイに取り付けられたフロントベゼルの傾きを低減することができる。また、光ディスク駆動装置の記録再生動作時にディスクトレイとガイド機構との間で生じる振動や騒音を、この支持構造からディスクトレイの翼部が受ける押圧力によって抑制することもできる。この結果、光ディスク駆動装置の外観性能劣化を防ぐことができ、さらに、振動や騒音の問題を解決することで信頼性の高い光ディスク駆動装置を提供することができる。
【図面の簡単な説明】
【００１４】
【図１】本発明の一実施の形態に係る光ディスク駆動装置の分解斜視図である。
【図２】図１に示した光ディスク駆動装置に係り、ディスクトレイのガイド機構に着目した分解斜視図である。
【図３】ディスクトレイの変形抑制構造の一実施例の構成図である。
【図４】変形抑制構造としての翼部の変形抑制作用を示した模式図である。
【図５】ディスクトレイを装置筺体の内部空間部に導入した状態を示した斜視図である。
【発明を実施するための形態】
【００１５】
以下、本発明の光ディスク駆動装置の一実施の形態について、図面に基づき説明する。なお、説明において、各図間で同一又は同様な構成部については、同一符号を付し、その基本的な構成及び動作についての重複説明は省略する。
【００１６】
図１は、本実施の形態に係る光ディスク駆動装置の分解斜視図である。
【００１７】
図２は、図１に示した光ディスク駆動装置に係り、ディスクトレイのガイド機構に着目した分解斜視図である。
光ディスク駆動装置１は、直径１２０ｍｍ、厚さ１.２ｍｍのＣＤ（Compact Disc），ＤＶＤ（Digital Versatile Disc），ＢＤ（Blu-ray Disc）といった、円盤状記録媒体としての光ディスクの記録面に対し、情報の記録・再生を光学的に行う装置である。
【００１８】
図示の光ディスク駆動装置１は、装置筺体１’の大きさ，形状が、概ね、幅１３０ｍｍ、奥行１３０ｍｍ、高さ（厚さ）１２.７ｍｍ（あるいは、９.５ｍｍ）の薄型箱体形状で、モバイル型パーソナルコンピュータに装備されるスリム型ドライブ、或いはスーパスリム型ドライブと呼ばれている光ディスク駆動装置である。
【００１９】
図１及び図２において、光ディスク駆動装置１の装置筺体１’は、トップケース２とボトムケース３とを一体的に締結した薄型箱体形状になっている。トップケース２及びボトムケース３は、それぞれ薄板鋼板をプレス成型して構成されている。
【００２０】
装置筺体１’は、光ディスク駆動装置１の正面に該当する薄型箱体の一側面が開放され、トレイ導出・導入用開口部１５になっている。図中に矢示したＸ方向，Ｙ方向，Ｚ方向それぞれは、トレイ導出・導入用開口部１５を正面に眺めた装置筺体１’すなわち光ディスク駆動装置１の幅方向，奥行方向，高さ（厚さ）方向それぞれに該当する。
【００２１】
ボトムケース３は、装置筺体１’の内部空間部の底面を形成する部分の形状が、奥行方向（図中、Ｙ方向）に沿って延びる段部３ｓを有し、下段側底面部と上段側底面部とを有した段付の２段底面形状になっている。これにより、トレイ導出・導入用開口部１５から奥行方向（図中、Ｙ方向）に沿って眺めた装置筺体１’の内部空間部の形状は、その幅方向（図中、Ｘ方向）寸法がディスク外径よりも小さな下段側底面部の幅寸法で概略規定され、高さ方向が段部３ｓの高さ寸法で概略規定された第１の空間部Ｓ１上に、その幅方向（図中、Ｘ方向）寸法がディスク外径よりも少し大きな下段側及び上段側底面部の合計幅寸法で概略規定された第２の空間部Ｓ２が、互いの幅方向（図中、Ｘ方向）の一側端部同士を揃えて高さ方向（図中、Ｚ方向）に積層され、連接一体化された空間形状になっている。
【００２２】
このような第１の空間部Ｓ１上に第２の空間部Ｓ２が一体的に連接積層された装置筺体１’の内部空間部には、光ディスクが搭載されるディスクトレイ４が、トレイ導出・導入用開口部１５から装置筺体１’の奥行方向（図中、Ｙ方向）に沿ってスライド可能に配設されている。
【００２３】
ディスクトレイ４は、樹脂成型品によって構成され、トレイ本体部４ａと翼部４ｂとが一体的に成型された構成になっている。トレイ本体部４ａの幅方向（図中、Ｘ方向）の寸法は、搭載された光ディスクの一部が一方側からはみ出るようにディスク外径よりも小さく形成され、装置筺体１’の内部空間部の第１の空間部Ｓ１にトレイ導出・導入用開口部１５から緩挿可能な寸法になっている。
【００２４】
トレイ本体部４ａの高さ（厚さ）方向（図中、Ｚ方向）に係る上面、すなわちトレイ本体部４ａの表面には、光ディスクの外径より僅かに大きな直径のディスク搭載部４ｃが、円弧状周壁部によって画成されて凹設されている。トレイ本体部４ａの幅方向（図中、Ｘ方向）一方側の、奥行方向（図中、Ｙ方向）に沿って延びる側面は、ディスク搭載部４ｃの円弧状周壁部の端部間を結ぶ弦部となって、ディスク搭載部４ｃに搭載された光ディスクがはみ出す側のディスクトレイ４の側面になっている。
【００２５】
また、トレイ本体部４ａの表面には、ディスク搭載部４ｃに位置させて、トレイ本体部４ａの高さ（厚さ）方向（図中、Ｚ方向）にトレイ本体部４ａを貫通する装着孔部４ｄが形成されている。装着孔部４ｄは、ディスク搭載部４ｃの円弧状周壁部の径中心部を含み、ディスク搭載部４ｃの径方向に延びる扇状の開口形状になっている。
【００２６】
トレイ本体部４ａの高さ方向（図中、Ｚ方向）に係る下面、すなわちトレイ本体部４ａの裏面には、ユニットメカ７が装着される。ユニットメカ７は、弾性部材からなる図示せぬ複数のインシュレータを介して、トレイ本体部４ａの裏面に対して取り付け固定されている。これら複数のインシュレータによって、装置外部からユニットメカ７へ伝わる振動や衝撃、或いはユニットメカ７から装置外部へ伝わる振動や衝撃を減衰するようになっている。
【００２７】
ユニットメカ７は、ベースとなる図示せぬユニットメカシャシに、光ディスクを回転駆動するスピンドルモータ５と、ディスク記録面の情報を再生し、ディスク記録面に情報を記録する光ピックアップ６と、光ピックアップ６をディスク径方向に沿って移動させる図示せぬ駆動機構とを配置して構成されている。また、ユニットメカシャシには、トレイ本体部４ａの装着孔部４ｄに嵌合可能なカバー７ａが取り付けられ、スピンドルモータ５の光ディスクと係合する係合軸部周辺や、ディスク径方向に沿って移動する光ピックアップ６の移動領域周辺のユニットメカ部分を、トレイ本体部４ａの装着孔部４ｄの開口形状に合わせて覆っている。カバー７ａは、駆動機構等に対する接触防止やこれらの付設回路に対する電気的なノイズを遮断する。
【００２８】
ユニットメカ７は、トレイ本体部４ａに対する装着状態で、カバー７ａがトレイ本体部４ａの装着孔部４ｄに嵌合され、スピンドルモータ５の係合軸部をディスク搭載部４ｃの円弧状周壁部の径中心部に位置させ、駆動手段により移動する光ピックアップ６をディスク搭載部４ｃの円弧状周壁部の径方向に移動可能に保って、装着孔部４ｄからディスク搭載部４ｃの搭載面に臨ませて装着されている。
【００２９】
一方、翼部４ｂは、トレイ導出・導入用開口部１５から眺めたトレイ本体部４ａの奥行方向（図中、Ｙ方向）の前面４ｆ側部分に、トレイ本体部４ａのディスクはみ出し側から、装置筺体１’の幅方向（図中、Ｘ方向）に突出するように配置されている。翼部４ｂは、トレイ本体部４ａの前面４ｆ側部分に対して、トレイ本体部４ａの高さ（厚さ）方向（図中、Ｚ方向）に係る厚さ寸法が小さな、薄肉の板状部になっている。翼部４ｂは、ディスクトレイ４に搭載された光ディスクとともに、装置筺体１’のトレイ導出・導入用開口部１５から内部空間部の第２の空間部Ｓ２、厳密には第１の空間部Ｓ１に対しての第２の空間部Ｓ２の幅方向（図中、Ｘ方向）の延設部分に緩挿可能になっている。
【００３０】
トレイ本体部４ａと翼部４ｂとを合わせたディスクトレイ４の幅方向（図中、Ｘ方向）の全幅寸法は、搭載された光ディスクが装置筺体１’の 内部空間部の側壁と接触しないように、ディスク直径よりも大きくなっており、装置筺体１’のトレイ導出・導入用開口部１５や内部空間部の第２の空間部Ｓ２の全幅寸法に対しては小さくなっている。
【００３１】
翼部４ｂは、光ディスク駆動装置１の記録再生動作時に、ディスク搭載部４ｃに搭載された光ディスク（実際にはスピンドルモータのターンテーブルに搭載されているため、該ディスク搭載部４ｃとは接触せず、隙間がある）とともに装置筺体１’の内部空間部の第２の空間部Ｓ２に緩挿されることにより、ディスクトレイ４の軽量化によりトレイ本体部４ａからはみ出して回転する光ディスクの保護等をはかっている。
【００３２】
ユニットメカ７が一体的に装着されたディスクトレイ４は、ガイド機構１２ａ，１２ｂを介して、装置筺体１’の内部空間部に対して、その奥行方向（図中、Ｙ方向）に沿ってスライド可能に保持されている。ガイド機構１２ａ，１２ｂは、ディスクはみ出し側の側面を含むトレイ本体部４ａの幅方向（図中、Ｘ方向）の両側それぞれと、装置筺体１’の内部空間部における第１の空間部Ｓ１の幅方向（図中、Ｘ方向）の両端側それぞれを形成するボトムケース３の幅方向（図中、Ｘ方向）の各端部の内壁との間に、それぞれ介在配置されている。
【００３３】
図２では、このガイド機構１２ａ，１２ｂの理解を容易するため、装置筺体１’からトップケース２が取り外され、ディスクトレイ４からはユニットメカ７及び後述のフロントベゼル８が取り外された状態になっている。
【００３４】
図２に示すように、ガイド機構１２ａ，１２ｂは、樹脂成型品として形成されたガイドラック１３ａ，１３ｂと、金属部材によって形成されたガイドラックスライド１４ａ，１４ｂとを有して構成されている。
【００３５】
ガイドラック１３ａ，１３ｂは、ガイド面が延設され、その延設方向である長手方向に眺めた断面形状が例えばコ字形状又はＬ字形状の枠部材により構成されている。ガイドラック１３ａ，１３ｂは、第１の空間部Ｓ１を形成するボトムケース３の下段側底面部、及びその幅方向（図中、Ｘ方向）の対応する側の側面内壁に、断面がコ字形状又はＬ字形状の枠部材の外郭部を当接させ、互いのガイド面の開放面同士を対向させて、ガイド面がボトムケース３の奥行方向（図中、Ｙ方向）に沿って延びるように配置されている。そのため、ガイドラック１３ａ，１３ｂの中、ディスクはみ出し側に固定配置されるガイドラック１３ａは、断面がコ字形状又はＬ字形状の枠部材外郭部が装置筺体１’の内部空間部の段部３ｓに当接させられることになる。その状態で、枠部材外郭部の高さ方向（図中、Ｚ方向）の上端部分は、筺体１’の内部空間部における、幅方向（図中、Ｘ方向）寸法がディスク外径よりも少し大きな第２の空間部Ｓ２に臨むようになっている。
【００３６】
なお、ガイドラック１３ａ，１３ｂについては、光ディスクの搬入・搬出方向である装置筺体１’の奥行方向（図中、Ｙ方向）に沿って眺めた断面形状がコ字形状又はＬ字形状の枠部材として説明したが、その断面形状は、長手方向に沿って延びるガイド面を形成できるものであればこれに限るものではなく、さらには、長手方向に沿って単一の同じ断面形状でなくても、複数の異なる断面形状が連接された構成であってもよい。
【００３７】
ガイドラックスライド１４ａ，１４ｂは、光ディスクの搬入・搬出方向である装置筺体１’の奥行方向（図中、Ｙ方向）に沿ってガイド面が延びる、奥行方向に沿って眺めた断面が例えばコ字形状の枠部材からなる。ガイドラックスライド１４ａ，１４ｂは、そのコ字形状の溝状ガイド面が、ディスクトレイ４のディスクはみ出し側を含むトレイ本体部４ａの幅方向（図中、Ｘ方向）の両側の各端部に係合可能になっているとともに、その断面コ字形状の枠部材外郭部がガイドラック１３ａ，１３ｂのガイド面に摺動自在に係合するようになっている。
【００３８】
ガイドラックスライド１４ａ，１４ｂは、それぞれの溝状ガイド面に、ディスクはみ出し側を含むトレイ本体部４ａの幅方向（図中、Ｘ方向）の対応する側の端部が係合されると、トレイ本体部４ａ及びガイドラックスライド１４ａ，１４ｂはガイド面の延設方向に沿って所定長に亘って相対移動可能に保持される。これにより、ディスクトレイ４は、その奥行方向（図中、Ｙ方向）に所定長に亘って、ガイドラックスライド１４ａ，１４ｂに摺動可能に支持される。また、ガイドラックスライド１４ａ，１４ｂは、その断面コ字形状の枠部材外郭部がガイドラック１３ａ，１３ｂのガイド面に係合されると、スライダとして、装置筺体１’の内部空間部の奥行方向（図中、Ｙ方向）に所定長に亘って、ガイドラック１３ａ，１３ｂに摺動可能に支持される。
【００３９】
このガイドラック１３ａ，１３ｂ，ガイドラックスライド１４ａ，１４ｂを備えたガイド機構によって、光ディスクの搬入・搬出方向である装置筺体１’の内部空間部の奥行方向（図中、Ｙ方向）に沿って、ディスクトレイ４は、ガイドラックスライド１４ａ，１４ｂとともにガイドラック１３ａ，１３ｂに対して摺動可能に支持されるともに、ガイドラックスライド１４ａ，１４ｂに対しても摺動可能に支持されて、そのディスク搭載部４ｃに搭載された光ディスクを装置筺体１’の内外に対して搬入・搬出できる。
【００４０】
トレイ本体部４ａの前面４ｆ及び翼部４ｂの奥行方向（図中、Ｙ方向）の前端を含むディスクトレイ４の前面（正面）には、ディスクトレイ４が装置筺体１’の内部空間部に収納されている状態で、装置筺体１’のトレイ導出・導入用開口部１５を隠蔽して、装置筺体１’の内部空間部を外部から隔絶するフロントベゼル８が取り付け固定される。
【００４１】
フロントベゼル８は、その幅方向（図中、Ｘ方向）の寸法がトレイ導出・導入用開口部１５の幅寸法よりも少し大きく、その高さ方向（図中、Ｚ方向）の寸法もトレイ導出・導入用開口部１５の高さ寸法よりも少し大きな矩形板形状になっている。フロントベゼル８も、ディスクトレイ４と同様に、樹脂成型品によって構成されている。
【００４２】
その上で、フロントベゼル８の裏面、すなわちディスクトレイ４の前面との対向面には、その幅方向（図中、Ｘ方向）に離間させて、第１，第２のフック片９ａ，９ｂが突出形成されている。これに対し、トレイ本体部４ａの前面４ｆ及び翼部４ｂの奥行方向（図中、Ｙ方向）の前端を含むディスクトレイ４の前面には、フロントベゼル８の第１，第２のフック片９ａ，９ｂと対応位置させて、第１，第２のフック片係合部１０ａ，１０ｂが形成されている。
【００４３】
フロントベゼル８は、その第１，２のフック片９ａ，９ｂをディスクトレイ４の第１，第２のフック片係合部１０ａ，１０ｂの係合孔に嵌入して、第１，第２のフック片係合部１０ａ，１０ｂに係止することによって、ディスクトレイ４の前面に一体的に取り付け固定される。これら第１，２のフック片９ａ，９ｂ、及び第１，第２のフック片係合部１０ａ，１０ｂは、フロントベゼル８をディスクトレイ４の前面に取り付け固定するための係止手段１１を構成する。
【００４４】
その際、第１のフック片係合部１０ａが翼部４ｂの奥行方向（図中、Ｙ方向）の前端に設けられ、この翼部４ｂの第１のフック片係合部１０ａにフロントベゼル８の第１のフック片９ａが取り付け固定されることによって、トレイ本体部４ａから突出した、薄肉の板状部になっている翼部４ｂ自体の強度の向上がはかれるようになっている。
【００４５】
また、フロントゼベル８の表面には、装置筺体１’の内部空間部に収納された状態にあるディスクトレイ４をトレイ導出・導入用開口部１５から導出して、ディスク搭載部４ｃを露呈状態にするイジェクトスイッチ（図示省略）が配置されている。ディスク搭載部４ｃに対し光ディスクを脱着する際には、イジェクトスイッチの操作により、ディスクトレイ４をトレイ導出・導入用開口部１５から導出でき、ディスク搭載部４ｃに搭載されたディスクを装置筺体１’の内部空間部から搬出して露呈できる。光ディスクの記録面の情報を再生し、或いは記録面に情報を記録する際は、ディスクトレイ４をトレイ導出・導入用開口部１５から導入することにより、ディスク搭載部４ｃに搭載された光ディスクを装置筺体１’の内部空間部に搬入することができる。
【００４６】
ところで、ユニットメカ７が装着される装着孔部４ｄ，局所的な薄肉部や厚肉部に対応した凹凸部，突出形状の翼部４ｂ等が形成されたディスクトレイ４は、表面形状が複雑であり、低コスト化，小型・軽量化等に配慮すると、通常、樹脂の射出成型で一体的に製作される。
【００４７】
そして、このような複雑形状を有する樹脂製のディスクトレイ４を射出成型する際は、トレイ本体部４ａの奥行方向（図中、Ｙ方向）の前面４ｆ側部分で、トレイ本体部４ａの幅方向（図中、Ｘ方向）のディスクはみ出し側に突出した翼部４ｂは、トレイ本体部４ａに対して薄肉の板状部になっているため、初期変形として大きな反り変形が生じ易い。この翼部４ｂの初期変形は、プラスチック樹脂の成型に特有のもので、成型した各部の冷却・固化速度の違いや収縮率の異方性に起因する。具体的には、成型部分が薄肉である場合は、板厚方向と面内方向で収縮挙動は異なる。また、繊維により強化された樹脂の射出成型品においては、面内方向の樹脂の流れ方向とこの流れに直角となる方向において各収縮挙動が異なる。そのため、ディスクトレイ４の樹脂の射出成型では、トレイ本体部４ａの幅方向（図中、Ｘ方向）に突出し、トレイ本体部４ａに対して薄肉の板状部になっている翼部４ｂには、大きな初期変形が現れ易い。
【００４８】
図示のディスクトレイ４では、トレイ本体部４ａの高さ方向（図中、Ｚ方向）に係り、翼部４ｂの高さ方向（図中、Ｚ方向）の上面は、トレイ本体部４ａの高さ方向（図中、Ｚ方向）の上面と、トレイ本体部４ａの幅方向（図中、Ｘ方向）に面一に連接するように成型されるのに対し、翼部４ｂの高さ方向（図中、Ｚ方向）の下面は、トレイ本体部４ａの幅方向（図中、Ｘ方向）の側面から突出し、トレイ本体部４ａの高さ方向（図中、Ｚ方向）の下面とは、このトレイ本体部４ａの幅方向（図中、Ｘ方向）の側面部分を介して連接し、トレイ本体部４ａの奥行方向（図中、Ｙ方向）に眺めたディスクトレイ４の形状が段付形状になっている。
【００４９】
そのため、図示のディスクトレイ４では、初期変形は、トレイ本体部４ａよりも薄肉の翼部４ｂに、トレイ本体部４ａの幅方向（図中、Ｘ方向）に対し、トレイ本体部４ａの高さ方向（図中、Ｚ方向）の下方側への反り変形として現れる。
【００５０】
その一方で、ディスクトレイ４の導入・導出の際に押動・引出操作されるフロントベゼル８の係止手段１１については、ディスクトレイ４の前面に対してのガタつきを防止し、トレイ本体部４ａから突出した翼部４ｂの強度向上をはかるためにも、第１フック片係合部１０ａが、トレイ本体部４ａの奥行方向（図中、Ｙ方向）の前面４ｆよりも、翼部４ｂの奥行方向（図中、Ｙ方向）の前端に設けられていることが好ましい。
【００５１】
そのため、ディスクトレイ４の初期変形として翼部４ｂが反り変形しているディスクトレイ４の前面に対してフロントベゼル８を組み付けると、フロントベゼル８はディスクトレイ４のトレイ本体部４ａの幅方向（図中、Ｘ方向）に対して高さ方向（図中、Ｚ方向）に傾いた取付状態になってしまう。
【００５２】
本実施の形態の光ディスク駆動装置１では、ディスクトレイ４に、以下に述べるような変形抑制構造を設けて、ディスクトレイ４の初期変形としての翼部４ｂの反り変形の抑制をはかって、ディスクトレイ４に一体的に取り付けられたフロントベゼル８の傾き低減をはかっている。
【００５３】
図３は、ディスクトレイの変形抑制構造の一実施例の構成図である。
図３（ａ）は、図１及び図２に示したディスクトレイをディスク搭載面の裏側から眺めた斜視図であり、図３（ｂ）は、図３（ａ）中に点線で囲って示した翼部部分の拡大図である。
【００５４】
本実施例においては、翼部４ｂの変形抑制構造は、翼部４ｂの裏面に翼部４ｂと一体成型された、トレイ本体部４ａの高さ方向（図中、Ｚ方向）に沿って下方すなわちボトムケース３側に向けて突出する突起部２１により構成されている。
【００５５】
突起部２１は、ディスクトレイ４の幅方向（図中、Ｘ方向）に、翼部４ｂの延設方向（図中、Ｘ方向）に係り先端側よりも基端側に寄せて、すなわち第１のフック片係合部１０ａよりもトレイ本体部４ａ側に寄せて、翼部４ｂの付根部側に配置されている。
【００５６】
図示の例では、突起部２１は、翼部４ｂが装置筺体１’の内部空間部の第２の空間部Ｓ２に導入された場合、ディスクトレイ４の幅方向（図中、Ｘ方向）に係り、ディスクトレイ４のディスクはみ出し側のボトムケース３の上段側底面部に対向する幅方向（図中、Ｘ方向）位置、又はディスクはみ出し側に固定配置されたガイドラック１３ａの高さ（厚さ）方向（図中、Ｚ方向）の上端部分と対向する幅方向（図中、Ｘ方向）位置に配置されている。
【００５７】
加えて、図示の例では、突起部２１は、ディスクトレイ４のトレイ導出・導入方向に当たる翼部４ｂの奥行方向（図中、Ｙ方向）の前後を、それぞれトレイ本体部４ａから延びるリブによって取り囲まれ、翼部４ｂの奥行方向（図中、Ｙ方向）の中央位置に配置されている。
【００５８】
その上で、突起部２１は、これらリブや第１のフック片係合部１０ａを含む翼部４ｂの裏面各部よりも、トレイ本体部４ａの高さ（厚さ）方向（図中、Ｚ方向）に沿ってボトムケース３側に向けて突出して形成されている。その突起高さ（突出長）は、例えば、初期変形としての反り変形がない翼部４ｂが装置筺体１’の内部空間部の第２の空間部Ｓ２に導入された場合を想定すると、第２の空間部Ｓ２を画成するディスクはみ出し側のボトムケース３の上段側底面部に対向するように配置されている場合は、ボトムケース３の上段側底面部の対向する部位と摺接可能な突起高さ（突出長）に、これに対し、ディスクはみ出し側に固定配置されたガイドラック１３ａの高さ方向（図中、Ｚ方向）の上端部分に対向するように配置されている場合は、ガイドラック１３ａの上端部分に摺接可能な突起高さ（突出長）になっている。
【００５９】
さらに、この突起部２１には、翼部４ｂがトレイ導出・導入用開口部１５から装置筺体１’の内部空間部の第２の空間部Ｓ２内に導入配置される際、トレイ導出・導入用開口部１５が形成された装置筐体１’における内部空間部の上段側底面部、すなわち第２の空間部Ｓ２の底面部を形成するボトムケース３の奥行方向（図中、Ｙ方向）に係る前端や、ディスクはみ出し側に固定配置されたガイドラック１３ａの奥行方向（図中、Ｙ方向）に係る前端に、突起部２１が掛合して係止されてしまい、この突起部２１が第２の空間部Ｓ２内にさらに進入することができなってしまうのを防止するため、ボトムケース３のディスクはみ出し側の上段側底面部やガイドラック１３ａの高さ方向（図中、Ｚ方向）の上端部分に乗り上げ易くするための傾斜面が、先端側に形成されている。
【００６０】
本実施の形態の光ディスク駆動装置１では、ディスクトレイ４をトレイ導出・導入用開口部１５から装置筺体１’の内部空間部に導入しようとしたとき、翼部４ｂに初期変形としての反り変形がある場合は、この突起部２１がディスクはみ出し側のボトムケース３の上段側底面部やガイドラック１３ａの高さ方向（図中、Ｚ方向）の上端部分と摺接（当接）することにより突起部２１が受ける抗力は、初期変形としての反り変形がない場合に比べて増大することになる。
【００６１】
この結果、翼部４ｂに初期変形としての反り変形がある場合は、この抗力を受けた突起部２１が、ボトムケース３のディスクはみ出し側の上段側底面部やガイドラック１３ａの高さ方向（図中、Ｚ方向）の上端部分に対して起立させられ、翼部４ｂを初期変形の反り方向とは逆向きに撓ませることで、第２の空間部Ｓ２内でディスクトレイ４の翼部４ｂの反り変形を抑制することができる構成になっている。
【００６２】
図４は、本実施の形態の光ディスク駆動装置による、翼部の変形抑制作用を示した模式図である。
【００６３】
図４（ａ）は、フロントベゼルを組み付けたディスクトレイが装置筺体の内部空間部から導出されている状態におけるディスクトレイの支持構造の模式図、図４（ｂ）は、フロントベゼルを組み付けたディスクトレイが装置筺体の内部空間部へ導入されている状態におけるディスクトレイの支持構造の模式図である。
【００６４】
図中に矢示したＸ方向，Ｙ方向，Ｚ方向それぞれは、図１〜３に示した、トレイ導出・導入用開口部１５を正面に視た、装置筺体１’及び光ディスク駆動装置１の幅方向，奥行方向，高さ方向それぞれに該当する。また、ディスクトレイ４の前面の第１，第２のフック片係合部１０ａ，１０ｂに第１，２のフック片９ａ，９ｂを係合して取り付けられたフロントベゼル８の取付姿勢は、図中で破線により示されている。
【００６５】
図４（ａ）に示した、フロントベゼル８を組み付けたディスクトレイ４がトレイ導出・導入用開口部１５を介して装置筺体１’の内部空間部から導出されている状態にあっては、ディスクトレイ４は、ボトムケース３の第１の空間部Ｓ１の幅方向（図中、Ｘ方向）の両側それぞれに配置されたガイド機構１２ａ、１２ｂによって、トレイ本体部４ａが装置筺体１’の内部空間部の奥行方向（図中、Ｙ方向）に沿って摺動自在に支持されている。
【００６６】
その際、翼部４ｂは、トレイ導出・導入用開口部１５を介して装置筺体１’の内部空間部の第２の空間部Ｓ２から導出されているので、樹脂成型の際の初期変形が生じている場合には、図中に矢印で示したように、ディスクトレイ４の高さ（厚さ）方向（図中、Ｚ方向）に下方へ反って変形したままの状態、すなわち初期変形が抑制されていない非抑制状態になっている。そのため、ディスクトレイ４の翼部４ｂの奥行方向（図中、Ｙ方向）の前端に備えられた第１のフック受部１０ａも、このディスクトレイ４の初期変形に伴い、初期変形が生じていない正常状態に対してディスクトレイ４の高さ方向（図中、Ｚ方向）の下方にずれることになる。これに対し、ディスクトレイ４の幅方向（図中、Ｘ方向）の逆側のトレイ本体部４ａに備えられた第２のフック受部１０ｂは、トレイ本体部４ａの初期変形の影響がほとんど現れないため、正常状態に対してずれることはない。
【００６７】
この状態でフロントベゼル８がディスクトレイ４の前面に取り付け固定されていると、翼部４ｂの初期変形による第１のフック受部１０ａのずれ変位によって、フロントベゼル８は、図４（ａ）中に矢印で示したように、ディスクトレイ４の高さ方向（図中、Ｚ方向）に係り、必然的にディスクトレイ４の翼部４ｂ側、すなわちディスクはみ出し側が、反対側のトレイ本体部４ａ側に対して、下に傾いた取り付け固定形態になってしまっている。
【００６８】
そこで、本実施の形態の光ディスク駆動装置１では、ディスクトレイ４の翼部４ｂの裏面にトレイ本体部４ａの高さ（厚さ）方向（図中、Ｚ方向）にボトムケース３のディスクはみ出し側の上段側底面部又はガイドラック１３ａの高さ方向（図中、Ｚ方向）の上端部分に向けて突出する突起部２１が、ディスクトレイ４の翼部４ｂの初期変形を抑制（矯正）し、フロントベゼル８の姿勢をディスクトレイ４のトレイ導出・導入用開口部１５に適合させるための変形抑制構造として機能する。
【００６９】
図４（ａ）に示したように、ディスクトレイ４を装置筺体１’の内部空間部に導入すると、フロントベゼル８がトレイ導出・導入用開口部１５を隠蔽するよりも先に、ディスクトレイ４の翼部４ｂの裏面に配置されている突起部２１が、装置筺体１’のディスクはみ出し側のボトムケース３の上段側底面部又はガイドラック１３ａの高さ方向（図中、Ｚ方向）の上端部分に乗り上げ、これら部分と当接して押圧する状態になる。
【００７０】
その際、トレイ本体部４ａが翼部４ｂよりもディスクトレイ４の高さ（厚さ）方向（図中、Ｚ方向）に厚肉構造となっており、トレイ本体部４ａの幅方向（図中、Ｘ方向）の両端側がガイド機構１２ａ，１２ｂ等によって装置筐体１’に支持されているディスクトレイ４は、トレイ本体部４ａの高さ（厚さ）方向（図中、Ｚ方向）への撓み変形や移動が制限されている。そのため、突起部２１が、この当接するボトムケース３の上段側底面部又はガイドラック１３ａの高さ方向（図中、Ｚ方向）の上端部分から受ける抗力によって、ボトムケース３の上段側底面部やガイドラック１３ａの上端部分に対して起立させられ、翼部４ｂを初期変形の反り方向とは逆向きに撓ませるように押圧する。
【００７１】
これにより、ディスクトレイ４の翼部４ｂは、翼部４ｂがトレイ本体部４ａに対して初期変形の反りを抑制（又は矯正若しくは相殺）するように撓み変形することになり、ディスクトレイ４が装置筺体内に搬入されたときには、翼部４ｂの初期変形による反りを抑制することができるようになっている。
【００７２】
その際には、ディスクトレイ４の翼部４ｂの前端に形成された第１のフック片係合部１０ａも、トレイ本体部４ａの前面４ｆに形成された第２のフック片係合部１０ｂに対してトレイ本体部４ａの幅方向（図中、Ｘ方向）に沿った同一直線上に位置するように、ディスクトレイ４の高さ（厚さ）方向（図中、Ｚ方向）に持ち上げられることになる。
【００７３】
これにより、ディスクトレイ４を装置筺体１’の内部空間部に導入する際、フロントベゼル８がトレイ導出・導入用開口部１５を隠蔽するよりも先に、ディスクトレイ４の翼部４ｂの裏面に配置されている突起部２１が、装置筺体１’のディスクはみ出し側のボトムケース３の上段側底面部又はガイドラック１３ａの高さ（厚さ）方向（図中、Ｚ方向）の上端部分に乗り上げ、接触する状態になることによって、ディスクトレイ４の翼部４ｂの初期変形が抑制され、第１のフック片係合部１０ａの傾きも抑制されるので、フロントベゼル８は、装置筺体１’のトレイ導出・導入用開口部１５を隠蔽する前に、その幅方向がトレイ導出・導入用開口部１５の幅方向（図中、Ｘ方向）と並行になる。
【００７４】
したがって、本実施の形態の光ディスク駆動装置１が電子機器に組み込まれた際に、ディスクトレイ４の翼部４ｂの初期変形による反りによって傾いたままのフロントベゼル８が、電子機器筐体に設けられたディスク装置用開口部に適合しないことが起きるのを防止することができる。
【００７５】
また、本実施の形態による光ディスク駆動装置１によれば、装置筺体１’の内部空間部に導入されたディスクトレイ４は、装置筺体１’のディスクはみ出し側のボトムケース３の上段側底面部又はガイドラック１３ａの高さ方向（図中、Ｚ方向）の上端部分と当接している突起部２１を介して、ガイド機構１２ａ，１２ｂ及び装置筺体１’と密着されることになるので、ディスクトレイ４の翼部４ｂ或いはトレイ本体部４ａと狭い隙間で設置された各部品間（例えば、ガイド機構１２ａ，１２ｂにおけるガイドラック１３ａ，１３ｂとガイドラックスライド１４ａ，１４ｂとの間、ガイドラックスライド１４ａ，１４ｂとディスクトレイ４との間、等）の接触振動を抑える効果もある。
【００７６】
図５は、上述した光ディスク駆動装置において、ディスクトレイを装置筺体の内部空間部に導入した状態を示した斜視図である。
【００７７】
図５（ａ）は、トレイ導出・導入用開口部を正面に視た斜視図であり、図５（ｂ）は、図５（ｂ）中に点線で囲って示した翼部の翼部の付根部側部分の拡大図である。
【００７８】
図示の例では、突起部２１は、翼部４ｂが装置筺体１’の内部空間部の第２の空間部Ｓ２に導入された場合、ディスクトレイ４の幅方向（図中、Ｘ方向）に係り、ディスクはみ出し側に固定配置されたガイドラック１３ａの高さ方向（図中、Ｚ方向）の上端部分と対向する幅方向（図中、Ｘ方向）位置に配置されている。
【００７９】
ディスクトレイ４が装置筺体１’の内部空間部内に搬入された状態で、フロントベゼル８がトレイ導出・導入用開口部１５を隠蔽するよりも先に、ディスクトレイ４の翼部４ｂの裏面に配置されている突起部２１が、第１のガイド機構１２ａのガイドラック１３ａの高さ方向（図中、Ｚ方向）の上端部分に乗り上げ、この上端部分と接触して上端部分を押圧する状態になる。
【００８０】
これにより、ディスクトレイ４の翼部４ｂは、この当接するガイドラック１３ａの高さ方向（図中、Ｚ方向）の上端部分から受ける抗力によって、ガイドラック１３ａの高さ方向（図中、Ｚ方向）の上端部分に対して突起部２１が起立させられ、突起部２１は翼部４ｂを成型時に生じた初期変形の反り方向とは逆向きに撓ませるように押圧する。
【００８１】
したがって、ディスクトレイ４の翼部４ｂに係り、成型時の初期変形による反りが抑制されるために、該ディスクトレイ４の前面に取り付けたフロントベゼル８の傾きを抑えることができる。
【００８２】
また、この際、翼部４ｂが成型時に生じた初期変形の反り方向とは逆向きに撓ませるように押圧されることにより、ディスクトレイ４のトレイ本体部４ａは、ガイドラックスライド１４ａのガイド面内を高さ方向（図中、Ｚ方向）の上向き（上側）に移動させられ、ガイドラックスライド１４ａのガイド面と高さ方向（図中、Ｚ方向）に向かって密着するようになり、ひいては、ガイドラックスライド１４ａともどもディスクトレイ４は、ガイドラック１３ａのガイド面内を高さ方向（図中、Ｚ方向）の上向き（上側）に移動させられる。一方、同時に、ガイドラック１３ａは、ディスクトレイ４の翼部４ｂの突起部２１から受ける押圧力によって高さ方向（図中、Ｚ方向）の下向きに、ボトムケース３の下段側底面部に対し押圧される。これにより、ガイドラック１３ａが、少なくとも部分的にもガイドラックスライド１４ａと高さ方向（図中、Ｚ方向）に向かって当接可能なガイド面を有しているならば、ガイドラックスライド１４ａともどもディスクトレイ４は、ガイドラック１３ａのこのガイド面と高さ方向（図中、Ｚ方向）に向かって密着することになる。この結果、光ディスク駆動装置１が作動した際の部品間の狭隙間（例えば、ガイド機構１２ａ，１２ｂにおけるガイドラック１３ａ，１３ｂとガイドラックスライド１４ａ，１４ｂとの間、ガイドラックスライド１４ａ，１４ｂとディスクトレイ４との間、等）で生じる接触振動を防止する効果も有する。
【００８３】
さらに、突起部２１はディスクトレイ４の奥行方向（図中、Ｙ方向）に係り前面側の翼部４ｂに形成され、フロントベゼル８がトレイ導出・導入用開口部１５を隠蔽する直前に、第１のガイド機構１２ａのガイドラック１３ａの高さ方向（図中、Ｚ方向）の上端部分に乗り上げる構成なので、ディスクトレイ４の導入及び導出における突起部２１とガイドラック１３ａの高さ方向（図中、Ｚ方向）の上端部分との摺接期間を最小にでき、ディスクトレイ４の円滑な導入及び導出を妨げることもない。
【００８４】
本実施の形態の光ディスク駆動装置１は以上述べたように構成されるが、その各部の具体的な構成等については、上述した実施の形態の構成に限定されるものではない。
【００８５】
例えば、図示した突起部２１の実施例では、突起部２１は柱型形状で示したが、ドーム型形状，ピラミッド型形状等といった他の突出形状であってもよく、ディスクはみ出し側のボトムケース３の上段側底面部又はガイドラック１３ａの高さ方向（図中、Ｚ方向）の上端部分に摺接可能な、ディスクトレイ４の翼部４ｂから突出するものであれば、同様の作用・効果を期待することができる。
【００８６】
また、突起部２１は、ディスクトレイ４と別部品で構成し、樹脂の射出成型でトレイ本体部４ａと翼部４ｂとが一体的に成型されたディスクトレイ４に取り付け固定する構成であってもよい。
【００８７】
さらに、突起部２１の突起先端部の構造も、傾斜面形状に限られるものではなく、例えば曲率形状等の他の摺動性のよい構造であっても構わない。さらに、突起部２１及びその先端部の材質についても、例えば、摺動性を備えた弾性部材によって構成することにより、装置外部から装置筺体１’を介してユニットメカ７へ伝わる振動や衝撃、或いはユニットメカ７から装置筺体１’を介して装置外部へ伝わる振動や衝撃を減衰させることができる。
【００８８】
加えて、突起部２１の配置についても、ディスクトレイ４の翼部４ｂにボトムケース３の上段側底面部側に突出させて設ける構成としたが、ディスクトレイ４の翼部４ｂに設けるのに代えて、ボトムケース３の上段側底面部又はガイドラック１３ａの高さ方向（図中、Ｚ方向）の上端部分の、奥行方向（図中、Ｙ方向）のトレイ導出・導入用開口部１５側に、ディスクトレイ４の翼部４ｂの下面と摺接可能に、かつ翼部４ｂを成型時に生じた初期変形の反り方向とは逆向きに撓ませるように設けるようにしてもよい。
【符号の説明】
【００８９】
１  光ディスク駆動装置、  １’ 装置筺体、  ２  トップケース、
３  ボトムケース、  ４  ディスクトレイ、  ４ａ  トレイ本体部、  ４ｂ  翼部、
４ｃ  ディスク搭載部、  ４ｄ  装着孔部、  ５  スピンドルモータ、
６  光ピックアップ、  ７  ユニットメカ、  ７ａ  カバー、  ８  フロントベゼル、
９ａ，９ｂ    第１、第２のフック片、
１０ａ，１０ｂ  第１，第２のフック片係合部、  １１  係止手段、
１２ａ，１２ｂ  ガイド機構、  １３ａ，１３ｂ  ガイドラック、
１４ａ，１４ｂ  ガイドラックスライド、  １５  トレイ導出・導入用開口部、
２１  突起部（変形抑制構造）
【図１】
2013012274.tif 000003
【図２】
2013012274.tif 000004
【図３】
2013012274.tif 000005
【図４】
2013012274.tif 000006
【図５】
2013012274.tif 000007